(57)【要約】【課題】トラス厚さを薄くすることにより、既設の階段上などスペース、特に高さ寸法の限られた場所に容易に据え付けることのできるエスカレータを提供すること。【解決手段】所定の傾斜勾配を通じて循環移動するステップを備えたエスカレータにおいて、ステップ１０における踏板１１の少なくとも一部が後端に向けて下がり勾配を有する。また、この踏板１１の後端には水平部あるいは逆勾配部１１ｂを備えており、降り口部では、下がり勾配部１１ａが水平状態に案内される。【選択図】  図１
2005015115.tif 000002
【特許請求の範囲】
【請求項１】
所定の傾斜勾配を通じて循環移動するステップを備えたエスカレータにおいて、
前記ステップの踏板の少なくとも一部が後端に向けて下がり勾配を有することを特徴とするエスカレータのステップ。
【請求項２】
前記下がり勾配は、１５°以内であることを特徴とする請求項１に記載のエスカレータのステップ。
【請求項３】
前記踏板の後端には、水平部或いは逆勾配部を備えていることを特徴とする請求項１に記載のエスカレータのステップ。
【請求項４】
降り口部では、前記下がり勾配部が水平状態に案内されることを特徴とする請求項１に記載のエスカレータのステップ。
【請求項５】
前記水平部或いは逆勾配部が、エスカレータの傾斜部分では水平状態あるいは前記下がり勾配部と逆勾配の状態に案内され、降り口部では該水平部或いは逆勾配部が水平状態に案内されることを特徴とする請求項３又は請求項４に記載のエスカレータのステップ。
【発明の詳細な説明】
【０００１】
【発明の属する技術分野】
本発明は、エスカレータにおけるステップの改良に関するものである。
【０００２】
【従来の技術】
エスカレータは、図６に示すように、上部機械室１及び下部機械室２に設けられた駆動スプロケット３及び従動スプロケット４にステップチェーン５が無端状に巻き掛けられ、これに多数のステップ６が取付けられ、案内レール７により案内される。そして、上部機械室１内の駆動装置８により駆動チェーン９を介して駆動スプロケット３が回転駆動され、ステップ６が循環駆動されるように構成されている。
【０００３】
【発明が解決しようとする課題】
しかし、通常のエスカレータにおけるステップの場合、往路側のステップ６と帰路側のステップ６とを収納するためには、１０００ｍｍ程度の厚み寸法のトラスが必要で、既設の階段の上などへのエスカレータの設置が簡単に行えなかった。
即ち、
１．従来のままでは、ステップ上面から天井までの必要寸法を確保できない。
２．エカレータの重量が重いため、階段で支えることができない。
等の不具合があった。
【０００４】
本発明は、上記の点に鑑みなされたもので、スペース、特に高さ寸法の限られた場所への設置が容易なエスカレータを提供することを目的とする。
【０００５】
【課題を解決するための手段】
本発明は、所定の傾斜勾配を通じて循環移動するステップを備えたエスカレータにおいて、ステップの踏板の少なくとも一部が後端に向けて下がり勾配を有するものである。
【０００６】
【発明の実施の形態】
本発明は、後端に向けて下がり勾配を有する踏板を備えたステップを持つエスカレータである。
【０００７】
【実施例】
以下、本発明の一実施例について、図面を用いて説明する。図１は、本発明に係るエスカレータのステップを示す全体斜視図、図２はエスカレータの傾斜部分におけるステップの一例を示す状態図、図３は降り口でのステップの状態図である。
【０００８】
図中、図６と同一符号のものは同一のものを示すが、１０は本発明に係るステップで、踏板１１とライザ１２を有し、従来と同様に前輪１０ａと後輪１０ｂとが回動自在に設けられている。この踏板１１は、例えば後端に向けて１５°以下の下がり勾配を持つ踏板１１ａと水平部分若しくは逆勾配部分を持つ踏板１１ｂとからなっている。この踏板１１ａ，１１ｂとも例えばローレット加工等によるすべり止めを施せば安全上、より好ましいと考えられる。
【０００９】
２０は降り口のプレートで、ステップ１０がこの降り口プレート２０と噛合う時は、踏板１１ａが案内レール（図示しない）によって水平状態を維持するように案内されており、踏板１１ｂとも噛合える程度の深さのある櫛を持っている。
【００１０】
このような構成であれば、エスカレータの傾斜部分において、図７から分かるように従来と比べて、トラスの厚さを約７００ｍｍ程度まで狭めることが可能となる。それと同時に、トラスの厚さを薄くすることによりエスカレータ全体の軽量化を図ることもできる。
【００１１】
次に、図４及び図５は本発明に係るその他の実施例を示し、図４はエスカレータの傾斜部分における状態図、図５は降り口での状態図である。
【００１２】
図中、踏板３１ａと踏板３１ｂとからなるステップ３０の踏板３１ｂは軸３０ａにより踏板３１ａに回動自在に支持され、リンク３２及びレバー３３を介して後方のステップ３０の踏板３１により操作される構造になっている。
【００１３】
つまり、踏板３１ｂの裏面にはリンク３２とレバー３３が回動自在に連結され、レバー３３の一端がピン３３ａで支持されて押し下げられると、圧縮バネ３４のバネ力に抗して踏板３１ｂが上方へ押し上げられ、一方レバー３３への力が解放されると、圧縮バネ３４のバネ力により踏板３１ｂが下方へ下がり、踏板３１ａと同一レベルに落ち着いて恰も従来のステップと同じ形状に変形する。
【００１４】
したがって、エスカレータの傾斜部分において、ステップ３０同士が階段を形成する状態では、図４に示すように、後側にあるステップの踏板の前端がレバー３３を押し下げ、その反作用でレバー３３の反対側が押し上げられ、リンク３２を介して踏板３１ｂが水平若しくは逆勾配となるように回動する。そして、エスカレータの傾斜部分における戻り側ステップ３０’でも同様である。
【００１５】
また、エスカレータの降り口又は乗り口部付近のように、ステップ３０間に段差のない状態では、図５に示すように、レバー３３はバネ３４によって押し戻され、リンク３２を介して踏板３１ｂが踏板３１ａと同一面をなすように回動する。
【００１６】
このように踏板３１ｂを可動式にすれば、乗降口プレート先端の櫛の深さをより浅くすることができ、エスカレータの傾斜部分におけるステップの厚さをより小さくすることも可能となる。
【００１７】
以上のような構成であれば、エスカレータの傾斜部分では、図２に示すように案内すれば、トラスの厚さを約７００ｍｍ程度まで狭めることができると同時に、トラスの厚さを薄くすることによりエスカレータ全体の軽量化を図ることもできる。
【００１８】
【発明の効果】
以上述べたように本発明のようにステップの形状を工夫すれば、トラス深さを小さく抑えることができ、かつ軽量化を行うことができるため、既設の階段の上にエスカレータをそのまま設置したいような場合でも、極めて簡単に据え付けることができる。
【図面の簡単な説明】
【図１】本発明に係るエスカレータのステップを示す全体斜視図である。
【図２】本発明に係るエスカレータの傾斜部分におけるステップの状態図である。
【図３】本発明に係るエスカレータの降り口でのステップの状態図である。
【図４】本発明に係るエスカレータの傾斜部分における別の実施例を示すステップの状態図である。
【図５】本発明に係るエスカレータの降り口での別の実施例を示すステップの状態図である。
【図６】エスカレータの全体図である。
【図７】本発明の効果を説明する説明図である。
【符号の説明】
６，１０，３０  エスカレータのステップ
１１ａ，１１ｂ，３１ａ，３１ｂ  踏板
２０  降り口プレート
【図１】
2005015115.tif 000003
【図２】
2005015115.tif 000004
【図３】
2005015115.tif 000005
【図４】
2005015115.tif 000006
【図５】
2005015115.tif 000007
【図６】
2005015115.tif 000008
【図７】
2005015115.tif 000009